(57)【要約】【課題】作業性がよく、配線しやすい構成の灯具および照明装置を提供する。【解決手段】被取付部に取り付けられる灯具であり、光源となる発光部と、発光部を含む機器を収容するカバーとを備え、カバーは、被取付部との間の配線領域を経由してカバー内の機器と接続される配線材に含まれる可塑剤の移行を抑制する可塑剤遮断部を、少なくとも配線領域に面した部分に有するものである。【選択図】図３
2020053209.tif 000002
【特許請求の範囲】
【請求項１】
被取付部に取り付けられる灯具であり、
光源となる発光部と、
前記発光部を含む機器を収容するカバーとを備え、
前記カバーは、
前記被取付部との間の配線領域を経由して前記カバー内の機器と接続される配線材に含まれる可塑剤の移行を抑制する可塑剤遮断部を、少なくとも前記配線領域に面した部分に有する灯具。
【請求項２】
前記可塑剤遮断部における前記可塑剤の移行性は、前記可塑剤遮断部以外の前記カバーの部分における前記可塑剤の移行性よりも低い請求項１に記載の灯具。
【請求項３】
前記カバーは、前記配線領域に面した部分のうち、前記配線材が接触する経路の部分に前記可塑剤遮断部を有する請求項１または請求項２に記載の灯具。
【請求項４】
前記可塑剤遮断部は、無機物の材料を有する請求項１から請求項３のいずれか一項に記載の灯具。
【請求項５】
前記カバーの前記配線領域に面した部分を、前記可塑剤の移行を抑制する物質を含む材料で形成され、前記可塑剤遮断部が構成される請求項１から請求項３のいずれか一項に記載の灯具。
【請求項６】
前記カバーは、
前記可塑剤が移行しない物質を材料とする請求項１から請求項５のいずれか一項に記載の灯具。
【請求項７】
請求項１から請求項６のいずれか一項に記載の灯具と、
前記配線材と接続され、前記灯具に電力が供給される経路である電源線材と
を備える照明装置。
【発明の詳細な説明】
【技術分野】
【０００１】
本発明は、灯具および照明装置に関するものである。特に、光源を覆うカバーの劣化防止に係るものである。
【背景技術】
【０００２】
照明装置において、光源となる発光素子を保護するため、光源の外郭となり、透光性を有するカバーで覆うことがある。このとき、筒形をした樹脂製のカバー等により密閉した密閉構造を有する灯具を備える照明装置が提案されている（たとえば、特許文献１参照）。そして、電力供給等を行うため、制御装置および発光素子を有する発光部等のカバー内部の機器と、外部の各種配線等との間を接続する配線材を有する。
【先行技術文献】
【特許文献】
【０００３】
【特許文献１】特開２０１７−１１２０５９号公報
【発明の概要】
【発明が解決しようとする課題】
【０００４】
上述したようにカバー内の機器と外部の配線とを配線材により接続する際、カバーに這わせる等して配線材を配置する。一般に、軟質塩化ビニール製である配線材の被覆部分には、配線を軟らかに変形させる等する可塑剤が含まれている。上記の特許文献１では、カバーと配線材との配置関係等は明確にされていないが、樹脂製のカバーに、配線材における電線の被覆部分等が接触し続けた場合に、可塑剤がカバーに移行して、カバーを劣化させてしまうおそれがある。
【０００５】
可塑剤がカバーに移行するのを防ぐため、従来は、配線材をガラス繊維製の編組チューブで覆うようにしていた。しかしながら、配線材を編組チューブで覆う作業は作業性が悪い。また、組立および施工の際、編組チューブで覆われた配線材は、配線しにくくなる。
【０００６】
そこで、本発明は、作業性がよく、配線しやすい構成の灯具および照明装置を提供することを目的とする。
【課題を解決するための手段】
【０００７】
本発明に係る灯具は、被取付部に取り付けられる灯具であり、光源となる発光部と、発光部を含む機器を収容するカバーとを備え、カバーは、被取付部との間の配線領域を経由してカバー内の機器と接続される配線材に含まれる可塑剤の移行を抑制する可塑剤遮断部を、少なくとも配線領域に面した部分に有するものである。
【０００８】
また、本発明に係る照明装置は、上記の灯具と、配線材と接続され、灯具に電力が供給される経路である電源線材とを備えるものである。
【発明の効果】
【０００９】
本発明によれば、カバーにおいて、少なくとも配線領域に面した部分に、可塑剤遮断部を設けるようにしたので、配線等に含まれる可塑剤がカバーへ移行することを抑制し、カバーの劣化等を抑制する灯具を得ることができる。
【図面の簡単な説明】
【００１０】
【図１】本発明の実施の形態１に係る照明装置１の斜視図である。
【図２】本発明の実施の形態１に係る照明装置１の照明器具２と灯具３とを分割した分割斜視図である。
【図３】本発明の実施の形態１に係る照明装置１の長手方向に直交する照明装置１の垂直断面を示す図である。
【図４】本発明の実施の形態１に係る灯具３の斜視図である。
【図５】本発明の実施の形態１に係る灯具３の一方の端部における分解斜視図である。
【図６】本発明の実施の形態２に係る照明装置１の長手方向に直交する照明装置１の垂直断面を示す図である。
【図７】本発明の実施の形態３に係る照明装置１の長手方向に直交する照明装置１の垂直断面を示す図である。
【発明を実施するための形態】
【００１１】
以下、本発明の実施の形態に係る灯具および照明装置について、図面を参照して説明する。各図において同じまたは対応する構成要素には、同じ符号を付し、説明の繰り返しを省略する場合がある。
【００１２】
ここで、以下に説明する実施の形態によって本発明が限定されるものではない。また、以下の図面では、各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向および向きを限定するものではない。
【００１３】
実施の形態１．
＜照明装置１の構成＞
図１は、本発明の実施の形態１に係る照明装置１の斜視図である。また、図２は、本発明の実施の形態１に係る照明装置１の照明器具２と灯具３とを分割した分割斜視図である。そして、図３は、本発明の実施の形態１に係る照明装置１の長手方向に直交する照明装置１の垂直断面を示す図である。図１から図３を参照して、実施の形態１に係る照明装置１の構成を説明する。
【００１４】
以下の説明において、照明装置１の長手方向に沿った方向を、長手方向Ｘとする。また、長手方向Ｘに直交し、長手方向Ｘに対する短手方向を、短手方向Ｙとする。そして、長手方向Ｘおよび短手方向Ｙのいずれとも直交する方向を、上下方向Ｚとする。また、長手方向Ｘにおいて、長手端部側への向きを、端向きＸ１とする。そして、端向きＸ１と反対側への向きであり、長手中央側への向きを、中向きＸ２とする。さらに、上下方向Ｚにおいて、照明装置１が取り付けられる造営部側９（すなわち、天井または壁側）への向きを、上向きＺ１とする。そして、上向きＺ１と反対側への向きであり、照明装置１から光が照射される照射空間側への向きを、下向きＺ２とする。ここで、上向きＺ１は、灯具３が照明器具２に取り付けられる向きであり、下向きＺ２は、灯具３が照明器具２から取り外される向きである。
【００１５】
実施の形態１における照明装置１は、天井または壁等の造営部側９に取り付けられる照明器具２と照明器具２に装着される灯具３とを有する。また、照明装置１は、後述する灯具３の封止構造１００を有する。実施の形態１では、いわゆるトラフタイプの照明器具２を例として示す。
【００１６】
＜照明器具２＞
照明器具２は、灯具３が取り付けられる被取付部となる。照明器具２は、器具本体２０を有する。器具本体２０は、実施の形態１では、金属製の板材を折り曲げて形成される。器具本体２０は、器具底面部２１、２つで一組となる器具側面部２２および２つで一組となる器具端部２３を有する。器具底面部２１は、長尺かつ平板状に形成されており、２つで一組となる器具側面部２２は、器具底面部２１の短手方向Ｙの両端に配置されている。また、２つで一組となる器具端部２３は、器具底面部２１の長手方向Ｘの両端に配置されている。器具端部２３には、ノックアウト２４が形成され、後述する配線材８５における電源線８１等の各種電線を挿通する際に取り外される。照明器具２の構成等について、さらに説明する。
【００１７】
装着部２５は、装着された灯具３の一部を収容する収容部である。装着部２５は、器具本体２０の器具底面部２１、一組の器具側面部２２および一組の器具端部２３により凹形状に形成される。このため、装着部２５は、器具本体２０の器具底面部２１、一組の器具側面部２２および一組の器具端部２３で囲まれる空間を形成している。ここで、装着部２５が収容する灯具３の一部は、照射側ではない非照射部となる。また、図２および図３に示すように、装着部２５の空間のうち、灯具３が収容された状態で、灯具３に占有されていない部分は、後述する配線材８５等が灯具３に接続される際に経由し、配置される配線領域２９となる。
【００１８】
器具本体２０の下端に位置する開口端部２６は、器具本体２０において開口している部分である。開口端部２６は、照明器具２の装着部２５に対して、灯具３の着脱を行う際の装着口となる。器具本体２０の開口端部２６において、長手方向Ｘの両端部には、連結部２７が形成されている。連結部２７には、灯具３が取り付けられる。実施の形態１では、連結部２７は、器具端部２３と一体に形成されており、開口端部２６から長手方向Ｘにおける中向きＸ２に向かって、折り曲げて形成されている。連結部２７に形成されたネジ孔２８は、灯具３に取り付けられた、後述する連結ネジ４８がねじ止めされる孔である。灯具３は、連結ネジ４８によって照明器具２にねじ止めされて固定される。
【００１９】
＜灯具３＞
図４は、本発明の実施の形態１に係る灯具３の斜視図である。ここでは、図１から図４を用いて灯具３について説明する。灯具３は、照明器具２に取り付けられることによって照明装置１を構成する。照明具および光源ユニットとなる灯具３は、長尺状に形成されており、照明器具２に装着されて使用される。実施の形態１では、灯具３は、照明器具２の長手方向Ｘにおける両端部において、後述する連結ネジ４８によって照明器具２の連結部２７に取り付けられる。実施の形態１の灯具３は、図２および図３に示すように、主として、透光性カバー３０、端部カバー４０、発光部６０等を有する。
【００２０】
＜透光性カバー３０＞
外郭となる透光性カバー３０は、少なくとも可視光を透過する透光性の材料が用いられるカバーである。透光性カバー３０は、後述する取付部材５０、発光部６０、制御部８０等を内部の空間に収容して、保護する、筒形状となっている。透光性カバー３０は、ガラス、ポリカーボネイト、アクリル等の樹脂材料を用いて形成することができる。また、透光性カバー３０において、装着部２５から外部に露出している部分は外観意匠部分にもなる。実施の形態１の透光性カバー３０は、たとえば、押出成形によって筒形部材を形成し、製品の仕様等に応じて必要な長さに切断することで、製造することができる。
【００２１】
実施の形態１の灯具３では、図３に示すように、透光性カバー３０のうち、装着部２５から外部に露出している部分は、発光部６０の照射側および取付部材５０における台座５１の表面を覆う外壁部となる外殻部になる。ここで、この部分の外周部３７については、外面部に対する法線の向きが、発光素子６１の光軸に沿う向きから光軸に直交する向きまでの範囲内となっている。たとえば、照明装置１から下方に向けて光が照射されるように、灯具３が照明器具２に装着された場合において、透光性カバー３０の装着部２５から外部に露出している部分は、外面部が下方、斜め下方、あるいは側方（水平方向外側）に向いている。すなわち、透光性カバー３０の装着部２５から外部に露出している部分は、外面部が、上方、あるいは斜め上方に向いていない。また、透光性カバー３０のうち、装着部２５に収容され、外部に露出していない部分は、制御部８０および台座５１における取付面部５２の制御部８０が配置される側を覆う。そして、透光性カバー３０のうち、装着部２５に収容され、外部に露出していない部分の表面は、器具本体２０の器具底面部２１および一組の器具側面部２２と対向する。ここで、透光性カバー３０は、製品の仕様等に応じて、光拡散性、波長弁別性等を有するものであってもよい。また、透光性カバー３０のうち、外部に露出していない部分については、反射性、遮光性等を有する材料を用いて形成してもよい。
【００２２】
実施の形態１の筒形の透光性カバー３０は、図１から図４に示すように、内部に収容される機器を覆い、内部に収容される機器に対する位置によって、一組の並行部３１、第１接続部３２および第２接続部３３に分かれている。また、透光性カバー３０には、２つのリブ３４が設けられている。一組の並行部３１は、透光性カバー３０において、一組の面が同じ距離で並行する面を形成している。透光性カバー３０は、一組の並行部３１の外側の面部分となる外面部および内側の面部分となる内面部が、それぞれ、ともに平面形状である。一組の外面部および一組の内面部は、透光性カバー３０に収容される発光素子６１の光軸に沿った平面である。実施の形態１では、この平面は、灯具３が照明器具２に装着された状態で、上下方向Ｚに沿っている。さらに、この平面は、一組の外面部および一組の内面部が、灯具３が照明器具２に装着された状態で、それぞれ対向する器具側面部２２に沿った平面でもある。そして、この平面は、灯具３が照明器具２に取り付けられる向きまたは照明器具２から取り外される向きに沿った平面にもなる。このため、透光性カバー３０の並行部３１は、短手方向Ｙにおいて、器具側面部２２より外側にはならず、器具側面部２２の内側に位置する。並行部３１のうち、灯具３が照明器具２に装着されたときに露出している部分は、灯具３の側方における照射部となる。
【００２３】
第１接続部３２は、一組の並行部３１における照射側の端部同士を繋いでいる部分であり、発光素子６１の光軸と交わり、灯具３の主たる照射部となる。第１接続部３２は、発光素子６１からの光を下方に向けて照射する。第１接続部３２の外面部および内面部は、１つまたは複数の面で構成されている。図３に示すように、実施の形態１では、透光性カバー３０における第１接続部３２の外面部および内面部が、１つの曲面で構成されている場合について説明する。ここで、第１接続部３２の外面部および内面部が、複数の面で構成される場合は、複数の異なる曲率の複数の曲面、複数の異なる角度の複数の平面、これらの曲面と平面とを組み合わせて構成することができる。第２接続部３３は、一組の並行部３１における器具側の端部同士を繋いでいる部分であり、灯具３が照明器具２に装着された状態において、装着部２５に収容される部分である。実施の形態１では、透光性カバー３０における第２接続部３３の外面部および内面部は、１つの曲面で構成されている場合について説明する。ここで、第２接続部３３の外面部および内面部が、複数の面で構成される場合は、複数の異なる曲率の複数の曲面、複数の異なる角度の複数の平面、これらの曲面と平面とを組み合わせて構成することができる。
【００２４】
リブ３４は、透光性カバー３０の外面部の法線方向に張り出すように設けられる。実施の形態１では、リブ３４は、各並行部３１において、外側に向かって張り出すように設けられている。そして、各リブ３４は、並行部３１と一体形成される。各リブ３４は、透光性カバー３０の長手方向Ｘに延設されている。リブ３４は、灯具３が照明器具２に装着された状態で、器具側面部２２における開口端部２６付近と対向するような位置に形成される。
【００２５】
また、実施の形態１においては、図３に示すように、透光性カバー３０は、配線材８５との関係において、第１部分３００と第２部分３０１とに分けることができる。透光性カバー３０の第１部分３００は、透光性カバー３０において、配線材８５の被覆が接触する可能性がある部分である。配線材８５が灯具３から照射される光を妨げない領域に配置されることが好ましいという点から、第１部分３００は、透光性カバー３０のうち、少なくとも発光素子６１よりも上方に位置する部分となる。実施の形態１における配線材８５の配線領域２９は、装着部２５内である。このため、第１部分３００は、実質的には、透光性カバー３０のうち、リブ３４より上方に位置する部分となる。ここで、透光性カバー３０の外周部３７のうち、第１部分３００の外周部分で、後述する可塑剤遮断部３９が設けられる部分を、第１外周部３７０とする。
【００２６】
透光性カバー３０の第２部分３０１は、灯具３と接続される配線材８５の被覆が接触する可能性がない部分となる。このため、少なくとも発光素子６１よりも下方の部分となる。したがって、実施の形態１では、実質的に配線材８５が配置されないリブ３４より下方の部分が、透光性カバー３０の第２部分３０１となる。ここで、透光性カバー３０の外周部３７のうち、第２部分３０１の外周部分を、第２外周部３７１とする。
【００２７】
配線材８５は、外部から灯具３に接続される、電源線８１、接地線８２および制御線８３等の各種配線を有する。また、これらの配線を接続する端子、配線保持具およびソケット等も配線材８５とする。図３では、灯具３と接続される電源線８１、接地線８２および制御線８３を、配線材８５として示している。配線材８５は、それぞれ絶縁材料で被包された各配線を被覆で一纏めにしたり、結束バンドで束ねたりした状態で、装着部２５内の配線領域２９に配置されるようにしてもよい。また、各配線をバラバラに分離した状態で、装着部２５内の配線領域２９に配置されるようにしてもよい。ここでは、配線材８５が、透光性カバー３０に接触するものとして説明する。ただし、配線材８５だけでなく、たとえば、施工場所に設けられる、灯具３外の送り配線および調光線等の電線材についても、配線領域２９内に配置されることで、被覆が第１部分３００に接触する可能性がある。
【００２８】
実施の形態１では、第１外周部３７０に、可塑剤遮断部３９が設けられる。透光性カバー３０の第１部分３００と第２部分３０１とについて、第１部分３００は、第１外周部３７０に可塑剤遮断部３９が設けられるので、可塑剤遮断部３９が設けられない第２部分３０１の第２外周部３７１と比較すると、可塑剤の移行性が低くなる。ここでは、第１外周部３７０に可塑剤遮断部３９が設けられるようにするが、これに限定するものではない。少なくとも、可塑剤遮断部３９に配線材８５が接触する経路の部分に設けられていればよい。
【００２９】
＜可塑剤遮断部３９＞
前述したように、可塑剤遮断部３９は、透光性カバー３０の第１外周部３７０に設けられている。可塑剤遮断部３９は、配線材８５に含まれる可塑剤が透光性カバー３０に移行することを抑制または防止する。可塑剤遮断部３９の形状は、プレート状（板状）、シート状（フィルム状）等の形状で、透光性カバー３０の第１部分３００に沿って変形し、第１外周部３７０に貼合できることが好ましい。
【００３０】
配線材８５の被覆に含まれる可塑剤は、配線材８５の被覆が透光性カバー３０と直接接触しなければ、極めて移行しにくくなる。したがって、可塑剤遮断部３９の形状は、メッシュ状および布帛状等であってもよい。
【００３１】
また、可塑剤遮断部３９の材質は、配線材８５に含まれる可塑剤を透光性カバー３０に移行させない性質であることが好ましい。さらに、可塑剤遮断部３９の材質は、可塑剤遮断部３９自身が劣化したり損傷したりしない性質を有する材質であることが好ましい。このため、可塑剤遮断部３９は、たとえば、無機物の材料が好適である。具体的には、可塑剤遮断部３９の材質には、アルミニウム、鉄、ステンレスまたは銅等の金属材料を採用することができる。また、可塑剤遮断部３９の材質に、ガラス材料またはセラミック材料等の材料を採用することができる。
【００３２】
そして、可塑剤遮断部３９の全体が、前述したいずれかの材質を含む材料を用いて形成されてもよい。また、可塑剤遮断部３９の全体が、前述したいずれかの材質を含む材料を部分的に用いた層構造を有する態様であってもよい。可塑剤遮断部３９は、少なくとも透光性カバー３０において、可塑剤を含む配線材８５が配置され、配線材８５の被覆が接触する可能性がある部分である第１外周部３７０に設けられる。可塑剤遮断部３９は、塗布、噴霧、蒸着または印刷等の方法によって、透光性カバー３０の第１外周部３７０に敷設される。
【００３３】
図５は、本発明の実施の形態１に係る灯具３の一方の端部３Ａにおける分解斜視図である。透光性カバー３０は、取付部材５０に配置された発光素子６１の発光面を覆うと共に、取付部材５０の長手方向に沿った長手方向Ｘとなる第１方向における端部３６に開口が形成されている。換言すれば、透光性カバー３０は、少なくとも一方の端部３６が開口する長尺形状の中空体であると共に、発光素子６１が実装された基板６２を内部に収容する。カバー端部３５は、透光性カバー３０の長手方向Ｘにおいて、透光性カバー３０の両端部分である。透光性カバー３０のカバー端部３５には、端部３６が設けられている。端部３６は、カバー端部３５において端部カバー４０が嵌合される部分であり、端部蓋である端部カバー４０に覆われる部分である。端部３６は、透光性カバー３０の伸縮に伴い、端部カバー４０と共に長手方向Ｘである第１方向に沿って移動自在な自由端である。厳密には、透光性カバー３０の端部３６および端部カバー４０は、「長手方向Ｘ」以外の方向にも伸縮するものであるが、実施の形態に係る灯具３においては、透光性カバー３０は「長手方向Ｘ」の伸縮を許容する構造（構成）を有するものとする。透光性カバー３０は、端部カバー４０と嵌合できるように、端部３６の外面部にはリブ３４が形成されていない。前述したように、押出成形によって押出した筒形部材を切断して透光性カバー３０を製造する場合には、長手方向Ｘに延設されたリブ３４のうち、端部３６に対応する部分は削除される。図３および図５に示すように、透光性カバー３０の外周部３７は、一組の並行部３１、第１接続部３２および第２接続部３３となる外殻部の外面側である。また、内周部３８は、一組の並行部３１、第１接続部３２および第２接続部３３となる外殻部の内面側である。
【００３４】
＜端部カバー４０の概要＞
端部カバー４０は、透光性カバー３０の長手方向Ｘにおける両端部に取り付けられる。端部カバー４０は、封止具４３を挟んで嵌着（嵌合）することによって、透光性カバー３０を密閉構造とする。ここで、端部カバー４０に取り付けられる取付部材５０および透光性カバー３０は、照明装置１の使用環境温度、灯具３の点灯時と消灯時とにおける温度の変化に対し、特に、長手方向Ｘにおける伸縮量が異なる。端部カバー４０は、透光性カバー３０の密閉を維持しながら、透光性カバー３０および取付部材５０の長手方向Ｘにおける端部どうしが、相互に移動可能となるような構造となっている。
【００３５】
端部カバー４０は、外カバーとなる第１端部カバー４１と内カバーとなる第２端部カバー４２とを有する。第１端部カバー４１は、第１カバー貫通孔４１１、第１カバー連結孔４１２、連結ガイド４１３、カバー下面部４１４、カバー下面貫通孔４１５、カバー電線保持部４１６、カバー端面部４１７、カバー端面貫通孔４１８および端部カバー外周部４１９を有する。ここで、カバー下面貫通孔４１５は、図２に示すように、カバー蓋４９によって覆われる。また、第２端部カバー４２は、第２カバー主部４２０、端部カバー挿通部４２１、第２カバー係合片４２２、第２カバー係合爪４２３および端部カバー内周部４２５を有する。また、端部カバー挿通部４２１を形成する縁部に沿って、挿通壁４２１ａが形成されている。ここで、実施の形態１の第１端部カバー４１および第２端部カバー４２は、樹脂材料を用いて形成されているものとして説明する。ただし、これに限定するものではない。樹脂材料以外の金属材料、セラミック材料等を用いて形成されてもよい。また、実施の形態１では、第１端部カバー４１と第２端部カバー４２と別部材とし、嵌着（嵌合）して一体化するようにしているが、あらかじめ一体化された１つの部材として成形するようにしてもよい。
【００３６】
＜封止具４３＞
封止具４３は、透光性カバー３０の長手方向Ｘにおける両端部と端部カバー４０との間に挟まれた状態で、透光性カバー３０の長手方向Ｘにおける両端部に配置される弾性部材である。弾性部材である封止具４３は、透光性カバー３０の端部３６に取り付けられて端部３６の開口を塞いでいる。封止具４３は、樹脂材料を用いて製造されており、弾性変形するシール部材（ガスケット、パッキン等）である。そのため、封止具４３は、透光性カバー３０の長手方向Ｘにおける両端部と端部カバー４０との間に挟まれた状態で、透光性カバー３０の長手方向Ｘにおける両端部を密閉する。封止具４３は、樹脂材料を用いて弾性変形するように形成されて、透光性カバー３０および端部カバー４０に密着する。
【００３７】
封止具４３は、封止具主部４３０、内周部４３５、外周部４３７および接続部４３６を有する。封止具４３は、封止具主部４３０、内周部４３５、外周部４３７および接続部４３６が一体に形成されている。封止具主部４３０は、内周部４３５の内側を塞ぐように形成される。封止具主部４３０は、後述する固定具５４の固定部５６と第２端部カバー４２の第２カバー主部４２０とに挟まれる。封止具主部４３０は、板状に形成されており、封止具４３と端部カバー４０とが係合した状態において、端部カバー４０と対向する面側に、電線挿通部４３１と封止具筒状部４３３とが形成されている。封止具主部４３０は、封止具４３と端部カバー４０とが係合した状態において、第２端部カバー４２の第２カバー主部４２０と当接する。電線挿通部４３１は、封止具４３と端部カバー４０とが係合した状態において、端部カバー４０と対向する面側から突出しており、電源線８１、接地線８２および制御線８３を通過させる電線挿通孔４３２を形成している。封止具筒状部４３３は、電線挿通部４３１を挟んで２つ設けられているが、封止具筒状部４３３の形成数は、固定具５４の固定部５６の数以上であれば、１つでもよく、３つ以上でもよい。封止具筒状部４３３は、封止具４３と端部カバー４０とが係合した状態において、端部カバー４０と対向する面側から突出している。封止具筒状部４３３は、封止具４３と固定具５４とが係合した状態において、固定具５４の固定部５６から突出するボス部５７が挿入される。封止具筒状部４３３は、円筒状に形成されている。封止具筒状部４３３の先端には、固定ネジ７５をネジ止めするネジ挿通孔４３４が形成されている。
【００３８】
板状に形成された封止具主部４３０の周縁部には、内周部４３５が形成されている。内周部４３５は、弾性部材である封止具４３が、第２端部カバー４２および透光性カバー３０と係合した状態において、第２端部カバー４２の端部カバー内周部４２５と透光性カバー３０の端部３６の内周部３８とに挟まれる部分である。
【００３９】
封止具４３の外周部４３７は、環状に形成されており内周部３８と対向するように内周部３８の外側に配置される。この外周部４３７は、封止具４３が、第１端部カバー４１および透光性カバー３０と係合した状態において、第１端部カバー４１の外壁部４１０ａと透光性カバー３０の外周部３７とに挟まれる部分である。
【００４０】
封止具４３の接続部４３６は、封止具主部４３０の内周部３８と外周部４３７との間に位置する。接続部４３６は、封止具４３が、第１端部カバー４１および透光性カバー３０と係合した状態において、第１端部カバー４１の第１カバー主部４１０と透光性カバー３０のカバー端部３５とに挟まれる部分である。
【００４１】
連結部材４４は連結具であり、灯具３の長手方向Ｘの両端部に備えられており、灯具３を照明器具２に取り付けるための取付金具ある。連結部材４４は、固定部４６の長手方向Ｘ（第１方向）における中央側（Ｘ２側）の面とボス部５７の端面とが当接した状態で、２つの固定ネジ７５を用いて固定具５４に取り付けられて固定される。連結部材４４は、端部カバー４０に対して、ネジ等を用いた直接的な固定はされていない。連結部材４４は、固定具５４のボス部５７に密着する封止具４３を介して位置決めされて間接的に固定される。すなわち、連結部材４４は、灯具３の長手方向Ｘである第１方向において、端部カバー４０の外側に配置されると共に、一部が端部カバー４０を貫通している取付部材５０に固定されると共に、他の一部が照明器具２に固定される。実施の形態１では、連結部材４４は、金属製の板材を折り曲げて形成されているものとする。ただし、連結部材４４は、金属製の板材の折り曲げから形成されるものに限定されるものではなく、たとえば、樹脂、セラミック等、他の材料を用いて形成されてもよく、また、押出成形、積層造形等、他の方法で形成されてもよい。連結部材４４は、連結部４５と、固定部４６と、係合部４７とを有する。
【００４２】
連結部４５は、固定部４６において、下方側（Ｚ２側）の端部から灯具３の端部側（Ｘ１側）に延設する板状の部材である。すなわち、連結部４５は、固定部４６の下縁部から突出する板状の部材である。連結部４５は、端部カバー４０と係合した状態において、端部カバー４０側とは反対側に突出している。換言すれば、連結部４５は、係合部４７の突出方向とは反対側に突出している。連結部４５は、灯具３が照明器具２に取り付けられている状態では、段差部４５０以外の上方の面が照明器具２の連結部２７に当接する。
【００４３】
連結部４５には、面の高さが異なる段差部４５０が形成されており、段差部４５０には、連結ネジ４８が挿入される連結ネジ挿通部４５１が形成されている。段差部４５０は、連結部４５の短手方向Ｙの中央領域において一部下方（Ｚ２側）に窪ませた部分である。連結部４５の段差部４５０には、連結ネジ挿通部４５１を通過した連結ネジ４８を固定する抜け止めワッシャ４８０が配置される。この抜け止めワッシャ４８０は、連結ネジ４８から外れないように予め連結ネジ４８に嵌着されている。段差部４５０の高さ（深さ、段差）寸法は、抜け止めワッシャ４８０の厚さ寸法と同じ寸法である。灯具３が照明器具２に取り付けられている状態では、抜け止めワッシャ４８０の上方（Ｚ１側）の面が照明器具２の連結部２７に当接し、抜け止めワッシャ４８０の下方（Ｚ２側）の面は連結部材４４の段差部４５０に当接する。段差部４５０の形状および面積は、抜け止めワッシャ４８０の形状および寸法を考慮して決定される。連結ネジ挿通部４５１は、段差部４５０の短手方向Ｙにおける略中央において、長手方向Ｘ（第１方向）における端部側（Ｘ１側）からスリット状に形成されている。連結ネジ挿通部４５１は、連結ネジ４８の軸部４８１より大きい幅寸法で形成されており、連結ネジ４８の軸部４８１が挿通する。連結ネジ挿通部４５１の形状はスリット状に限定されず、断面が楕円形を含む円形、多角形の貫通孔でもよい。
【００４４】
固定部４６は、連結部４５において、長手方向Ｘ（第１方向）における中央側（Ｘ２側）の端部から上方に立設した部分である。固定部４６は、板状の部材である。固定部４６は、端部カバー４０および封止具４３を、取付部材５０の固定具５４と共に挟持する。固定部４６には、固定ネジ７５をネジ止めする固定ネジ挿通孔４６０が形成されている。固定ネジ挿通孔４６０は、ボス部５７のネジ孔５８にねじ込まれる固定ネジ７５が挿通する貫通孔である。固定部４６は、固定ネジ挿通孔４６０に挿入される固定ネジ７５によってボス部５７に取り付けられる。
【００４５】
連結部材４４には、電源線８１、接地線８２、制御線８３等の電線を通過させる電線挿通孔４７０がスリット状に形成されている。電線挿通孔４７０は、上部スリット４７１０と、端部スリット４７１１とを有する。固定部４６に形成されている電線挿通孔４７０を端部スリット４７１１と称する。端部スリット４７１１は、連結部材４４の上下方向（Ｚ軸方向）に形成されている。端部スリット４７１１は、係合部４７に形成されている後述する上部スリット４７１０と繋がっている。
【００４６】
固定部４６には、係合片挿通孔４６１が形成されてもよい。係合片挿通孔４６１は、第２端部カバー４２の第２カバー係合片４２２および第２カバー係合爪４２３の断面形状に対応して、固定部４６に設けられる貫通孔である。係合片挿通孔４６１は、透光性カバー３０の伸長に伴い長手方向Ｘ（第１方向）に移動する第２端部カバー４２の第２カバー係合片４２２および第２カバー係合爪４２３が、連結部材４４の固定部４６と干渉しないように形成されている。係合片挿通孔４６１は、透光性カバー３０の伸長の量、すなわち、第２カバー係合片４２２および第２カバー係合爪４２３の移動の量が小さい場合、あるいは、端部カバー４０が一体形成されている場合等は不要であり、灯具３の必須の構成ではない。
【００４７】
係合部４７は、固定部４６において、上方側（Ｚ１側）の端部から長手方向Ｘ（第１方向）における中央側（Ｘ２側）に延設した部分である。すなわち、係合部４７は、固定部４６の上縁部から突出する板状の部材である。係合部４７は、端部カバー４０と係合した状態において、端部カバー４０側に突出しており、灯具３において、灯具３の上方側（Ｚ１側）に配置される。
【００４８】
上述したように、連結部材４４には、電源線８１、接地線８２、制御線８３等の電線を通過させる電線挿通孔４７０がスリット状に形成されている。係合部４７に形成されている電線挿通孔４７０を上部スリット４７１０と称する。上部スリット４７１０は、灯具３の長手方向Ｘに沿って形成されている。上部スリット４７１０は、固定部４６に形成された端部スリット４７１１と繋がっている。上部スリット４７１０は、透光性カバー３０の端部３６および端部カバー４０を、長手方向Ｘ（第１方向）の移動が規制されない自由端とするために、連結部材４４の係合部４７に形成されたスリットである。上部スリット４７１０には、後述する挿入孔４７２から挿入されるカバー電線保持部４１６が、短手方向Ｙおよび上下方向Ｚに移動が規制された状態で係合する。なお、挿入孔４７２に配置されるカバー電線保持部４１６は、長手方向Ｘ（第１方向）には移動が規制されない。上部スリット４７１０に、カバー電線保持部４１６が係合した状態では、連結部材４４の端部カバー４０に対する位置が決まるので、固定ネジ７５を用いて連結部材４４をボス部５７に固定する際に固定ネジ７５の位置合わせがしやすくなる。電源線８１、接地線８２、制御線８３の全てまたは一部を編組チューブ等で束線した状態では、一般的に硬くなり曲がり難くなる。しかし、連結部材４４は、上部スリット４７１０と繋がるように形成された端部スリット４７１１を有することにより、電源線８１等が束線されて曲がり難くなっても、配線がし易くなる。
【００４９】
係合部４７には、後述するカバー電線保持部４１６が挿入される挿入孔４７２が形成されている。挿入孔４７２は、上部スリット４７１０と連続して形成されている。挿入孔４７２は、固定部４６に形成されている貫通孔であり、上部スリット４７１０の長手方向Ｘ（第１方向）における中央側（Ｘ２側）と繋がって形成されている。挿入孔４７２は、カバー電線保持部４１６が挿入可能な形状および寸法で形成されている。挿入孔４７２から挿入されたカバー電線保持部４１６は、透光性カバー３０の伸長に応じて、上部スリット４７１０と係合した状態で、長手方向Ｘに沿って移動する。そのためカバー電線保持部４１６は、透光性カバー３０の伸縮、および透光性カバー３０の伸縮に伴う端部カバー４０および封止具４３の移動を妨げない。
【００５０】
＜取付部材５０＞
取付部材５０は、図３および図５に示すように、発光部６０および制御部８０等を透光性カバー３０内の空間に固定させる部材である。また、取付部材５０は、透光性カバー３０の両端部に取り付けられた端部カバー４０および連結部材４４に取付部材５０を固定する部材である。取付部材５０は、台座５１と、固定具５４と、を有する。取付部材５０は、透光性カバー３０に収容される。そして、取付部材５０は、図５に示すように、固定ネジ７５によって、端部カバー４０および連結部材４４に固定される。したがって、取付部材５０は、透光性カバー３０には直接固定されていないが、透光性カバー３０の長手方向Ｘにおける両側のカバー端部３５に嵌合（嵌着）している端部カバー４０を介して透光性カバー３０と繋がっている。
【００５１】
台座５１は、取付部材５０の主たる部分であり、発光部６０および制御部８０等が取り付けられる。実施の形態１では、台座５１は、金属製の板材を折り曲げて形成されているものとする。ただし、台座５１は、金属製の板材を折り曲げて形成されたものに限定するものではなく、たとえば、樹脂、セラミック等、金属以外の材料を用いて形成されたものでもよく、また、押出成形、積層造形等、他の方法で形成されたものでもよい。また、図示は省略するが、放熱効率（熱放射率）、あるいは、光の利用効率（反射率）等を向上させるために、台座５１に表面処理を施し、あるいは、台座５１に機能部材を敷設してもよい。台座５１は、取付面部５２と、側部５３とを有する。台座５１の取付面部５２は、長尺の平板状に形成されており、照射側の面である表面には、発光部６０が取り付けられる。また、器具側の面である裏面には、電源装置等の制御部８０が取り付けられる。
【００５２】
図５に示すように、台座５１の取付面部５２には、ネジ孔５２０が形成されている。ネジ孔５２０は、取付面部５２の長手方向Ｘの両端部に形成されている。このネジ孔５２０には、取付部材５０を端部カバー４０および連結部材４４に固定するための固定ネジ７５が挿入される。取付面部５２には、給電線８４等を通過させる切り欠き部５２１が形成されている。切り欠き５２１部は、取付面部５２の長手方向Ｘの両端部において、取付面部５２の縁部に形成されている。ここで、灯具３の他方の端部における、取付面部５２には、切り欠き部５２１が形成されている代わりに、貫通孔である装着孔５２２が形成されている。
【００５３】
台座５１の側部５３は、取付面部５２の短手方向Ｙの両端部分から照射側に折り曲げられた立設部分である。側部５３は、取付面部５２の長手方向Ｘに沿って取付面部５２の縁部から立設していることで、台座５１の剛性を向上させる。実施の形態１では、側部５３は、制御部８０等が配置される器具側だけに立設させている。しかし、側部５３は、発光部６０が配置される照射側だけに立設させてもよく、あるいは、照射側および器具側の両方に立設させてもよい。また、実施の形態１では、側部５３は、取付面部５２の短手方向Ｙの両端部分に立設させているが、たとえば、取付面部５２の短手方向Ｙにおける中央部分等、両端部分以外の位置に立設させてもよい。
【００５４】
固定具５４は、台座５１の長手方向Ｘの両端部分に配置されており、透光性カバー３０の両端部に取り付けられた端部カバー４０および連結部材４４に取付部材５０を固定する部材である。固定具５４は、端部カバー４０を貫通すると共に連結部材４４が固定される。ここで、実施の形態１では、固定具５４は台座５１と別部材で構成されているが、固定具５４の構成は、当該構成に限定するものではない。たとえば、台座５１の両端部分を折り曲げる等して、台座５１と固定具５４とを一体に形成し、台座５１が固定具５４と同じ機能をもつ部分を有するようにしてもよい。固定具５４は、取付ネジ（図示は省略）等の固定部材を用いて台座５１に取り付けてもよい。
【００５５】
固定具５４は、取付部５５と、固定部５６とを有しており、板金を折り曲げて製造している。なお、固定具５４は、金具であるが、金具に限定するものではなく、たとえば、樹脂、セラミック等、他の材料を用いて形成されてもよく、また、押出成形、積層造形等、他の方法で形成されたものでもよい。
【００５６】
固定具５４の取付部５５は、固定具５４を台座５１に取り付ける部分であり、固定ネジ７５を用いて台座５１の両端部分に固定される。取付部５５は、たとえば、カシメ、溶着（溶接）または嵌着（係着）等の方法で台座５１と構造的に一体化されてもよい。
【００５７】
固定具５４の固定部５６は、連結部材４４の固定部４６と共に端部カバー４０と封止具４３とを挟持する。すなわち、透光性カバー３０と、封止具４３と、端部カバー４０と、連結部材４４とが組み合わされた状態において、固定部５６と連結部材４４の固定部４６との間には、封止具４３が配置されている。固定部５６には、ボス部５７が設けられている。
【００５８】
ボス部５７は、たとえば、カシメ、溶着（溶接）または嵌着（係着）等の方法によって固定部５６に取り付けられている。ボス部５７には、固定ネジ７５がねじ込まれるネジ孔５８が形成されている。ネジ孔５８の内周側には、ネジ溝が形成されている。そして、連結部材４４の外側から、連結部材４４の固定ネジ挿通孔４６０、第２端部カバー４２の端部カバー挿通部４２１、第１端部カバー４１の第１カバー貫通孔４１１および封止具４３のネジ挿通孔４３４に固定ネジ７５が挿通される。そして固定ネジ７５が、ボス部５７のネジ孔５８にねじ込まれて、連結部材４４は取付部材５０の固定具５４に固定される。すなわち、連結部材４４が固定されるのは、固定具５４のボス部５７である。
【００５９】
（発光部６０）
発光部６０は、図３に示すように、発光素子６１、基板６２等を有する。発光素子６１は、電力供給により発光する。実施の形態１では、発光素子６１として、発光ダイオード（Ｌｉｇｈｔ  Ｅｍｉｔｔｉｎｇ  Ｄｉｏｄｅ；以下、ＬＥＤと称す）素子を用いており、基板６２の実装面に、長手方向Ｘに沿って、列状、千鳥状等に実装される。そして、実施の形態１の発光素子６１は、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。ここで、発光素子６１が出射する光は、光束値が最大であり、発光面に垂直な光軸に対して、対称に照射角αだけ広がる。実施の形態１では、発光素子６１の照射角αは、１２０度であるものとする。発光素子６１は、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）、無機ＥＬ等を用いてもよい。基板６２は、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板等が用いられる。
【００６０】
制御部８０は、電源装置であり、外部から供給される電力から発光素子６１を点灯させる電力に変換して、発光素子６１に供給する。実施の形態１では、制御部８０は、前述したように、台座５１の取付面部５２の裏面に、ネジ（図示は省略）等の固定部材を用いて取り付けられた状態で、発光素子６１等と共に筒状の透光性カバー３０に収容されている。ただし、制御部８０は、灯具３ではなく、照明器具２に取り付けられてもよい。この場合、電線は、制御部８０から発光素子６１に供給される電力の供給経路として機能する給電線となる。実施の形態１における電源線８１、接地線８２および制御線８３等の電線は、一端は制御部８０に接続される。そして、他端は、照明器具２に取り付けられている端子台（図示は省略）に接続される。
【００６１】
以上のように、実施の形態１の照明装置１においては、透光性カバー３０において、少なくとも配線領域２９に面した部分に、可塑剤遮断部３９を設けるようにした。このため、配線材８５に含まれる可塑剤が透光性カバー３０へ移行することを抑制し、透光性カバー３０の劣化等を抑制する灯具３を得ることができる。このとき、可塑剤遮断部３９の移行性は、第２外周部３７１と比較して可塑剤の移行性が低い。また、可塑剤遮断部３９の材料として、金属材料などの無機物を採用することで、可塑剤の透光性カバー３０への移行抑制を有効にすることができる。
【００６２】
実施の形態２．
図６は、本発明の実施の形態２に係る照明装置１の長手方向に直交する照明装置１の垂直断面を示す図である。図６において、図３等と同じ符号を付している部品等については、実施の形態１で説明したことと同様の機能を行う。
【００６３】
実施の形態２において、透光性カバー３０ａは、可塑剤の移行を抑制する物質を含む材料（以下、可塑剤移行防止材料という）が混合された混合樹脂材料と可塑剤移行防止材料が混合されていない樹脂材料とを用いた異種材料成形（２色成形）される。実施の形態２においては、透光性カバー３０ａの第１部分３００ａにおける第１外周部３７０ａは、可塑剤移行防止材料が混合された樹脂材料を用いて形成される。このため、第１部分３００ａは、可塑剤の移行を防止する可塑剤遮断部３９ａとして機能する。したがって、配線材８５の被覆に含まれる可塑剤により、透光性カバー３０ａの劣化等を防止することができる。一方、透光性カバー３０ａの第２部分３０１ａにおける第２外周部３７１ａは、可塑剤移行防止材料が混合されていない樹脂材料を用いて形成される。
【００６４】
以上のように、実施の形態２の照明装置１における灯具３では、透光性カバー３０ａの第１部分３００ａにおける第１外周部３７０ａは、可塑剤移行防止材料が混合された樹脂材料を用いて形成される。このため、可塑剤移行防止材料が混合されていない材料を用いて形成される第２部分３０１ａにおける第２外周部３７１ａと比較すると、可塑剤が移行しない。したがって、透光性カバー３０ａの劣化等を防止することができる。また、実施の形態２の灯具３では、透光性カバー３０ａ以外に、可塑剤遮断部３９ａとする特別の部品を必要としないので、コスト削減等をはかることができる。そして、透光性カバー３０ａを形成する工程以外に、可塑剤遮断部３９ａを構成する組立工程等の工程を必要としないため、製造効率をよくすることができる。
【００６５】
なお、実施の形態２の灯具３において、透光性カバー３０ａは、成型性または意匠性等を考慮して、可塑剤移行防止材料が混合された混合樹脂材料と可塑剤移行防止材料が混合されていない樹脂材料との境界をリブ３４に設けているが、これに限定しない。透光性カバー３０ａの他の場所に境界を設けてもよい。また、実施の形態２において、透光性カバー３０ａは、第１外周部３７０ａに高反射性の材料を混合してもよい。第１外周部３７０ａに高反射性の材料を混合することによって、灯具３における光の取出し効率（利用効率）が向上する。
【００６６】
実施の形態３．
図７は、本発明の実施の形態３に係る照明装置１の長手方向に直交する照明装置１の垂直断面を示す図である。図７において、図３および図６等と同じ符号を付している部品等については、実施の形態１および実施の形態２で説明したことと同様の機能を行う。
【００６７】
実施の形態３において、透光性カバー３０ｂは、可塑剤の移行を抑制することができるガラス等の材料を全体に用いて構成されたものである。したがって、透光性カバー３０ｂの第１部分３００ｂにおける第１外周部３７０ｂおよび第２部分３０１ｂにおける第２外周部３７１ｂの両方とも、可塑剤遮断部３９ｂとして機能する。したがって、配線材８５の被覆に含まれる可塑剤により、透光性カバー３０ａの劣化等を防止することができる。
【００６８】
また、実施の形態３の灯具３では、透光性カバー３０ｂ以外に、可塑剤遮断部３９ｂとする特別の部品を必要としないので、コスト削減等をはかることができる。そして、透光性カバー３０ｂを形成する工程以外に、可塑剤遮断部３９ｂを構成する組立工程等の工程を必要としないため、製造効率をよくすることができる。
【００６９】
実施の形態４．
前述した実施の形態１〜実施の形態３の照明装置１は、いわゆるトラフタイプの照明器具２を例示して説明したが、これに限定されるものではない。照明装置１は、灯具３が装着される照明器具２として、いわゆる笠付タイプ、片側反射笠付タイプまたはＶ形タイプ等、他の形状のものを採用することができる。
【００７０】
また、実施の形態１〜実施の形態３において、照明装置１を構成する照明器具２および灯具３は、いずれも長尺状のものを例示したが、これに限定されるものではない。灯具３あるいは灯具３が装着される照明器具２は短尺状のものでもよい。たとえば、灯具３は透光性カバー３０の筒軸方向の長さ寸法が、径方向の長さ寸法より小さい形状であってもよい。
【００７１】
また、実施の形態１〜実施の形態３においては、照明装置１は、照明器具２および灯具３を有するものとして説明したが、これに限定するものではない。照明器具２の代わりに、レースウェイを被取付部として、灯具３にレースウェイを取り付け、照明装置１としてもよい。
【００７２】
以上、本発明の実施の形態について説明したが、複数の実施の形態を組み合わせて照明装置１を構成しても構わない。また、これらの実施の形態のうち、１つを部分的に行っても構わない。さらに、これらの実施の形態と変形例とを部分的に組み合わせて行っても構わない。本発明は、これらの実施の形態、および変形例に限定されるものではなく、必要に応じて種々の変更が可能である。
【符号の説明】
【００７３】
１  照明装置、２  照明器具、３  灯具、３Ａ  端部、９  造営部側、２０  器具本体、２１  器具底面部、２２  器具側面部、２３  器具端部、２４  ノックアウト、２５  装着部、２６  開口端部、２７  連結部、２８  ネジ孔、２９  配線領域、３０  透光性カバー、３０ａ  透光性カバー、３０ｂ  透光性カバー、３１  並行部、３２  第１接続部、３３  第２接続部、３４  リブ、３５  カバー端部、３６  端部、３７  外周部、３８  内周部、３９  可塑剤遮断部、３９ａ  可塑剤遮断部、３９ｂ  可塑剤遮断部、４０  端部カバー、４１  第１端部カバー、４２  第２端部カバー、４３  封止具、４４  連結部材、４５  連結部、４６  固定部、４７  係合部、４８  連結ネジ、４９  カバー蓋、５０  取付部材、５１  台座、５２  取付面部、５３  側部、５４  固定具、５５  取付部、５６  固定部、５７  ボス部、５８  ネジ孔、６０  発光部、６１  発光素子、６２  基板、７５  固定ネジ、８０  制御部、８１  電源線、８２  接地線、８３  制御線、８４  給電線、８５  配線材、１００  封止構造、３００  第１部分、３００ａ  第１部分、３００ｂ  第１部分、３０１  第２部分、３０１ａ  第２部分、３０１ｂ  第２部分、３７０  第１外周部、３７０ａ  第１外周部、３７０ｂ  第１外周部、３７１  第２外周部、３７１ａ  第２外周部、３７１ｂ  第２外周部、４１０  第１カバー主部、４１０ａ  外壁部、４１１  第１カバー貫通孔、４１２  第１カバー連結孔、４１３  連結ガイド、４１４  カバー下面部、４１５  カバー下面貫通孔、４１６  カバー電線保持部、４１７  カバー端面部、４１８  カバー端面貫通孔、４１９  端部カバー外周部、４２０  第２カバー主部、４２１  端部カバー挿通部、４２１ａ  挿通壁、４２２  第２カバー係合片、４２３  第２カバー係合爪、４２５  端部カバー内周部、４３０  封止具主部、４３１  電線挿通部、４３２  電線挿通孔、４３３  封止具筒状部、４３４  ネジ挿通孔、４３５  内周部、４３６  接続部、４３７  外周部、４５０  段差部、４５１  連結ネジ挿通部、４６０  固定ネジ挿通孔、４６１  係合片挿通孔、４７０  電線挿通孔、４７２  挿入孔、４８０  抜け止めワッシャ、４８１  軸部、５２０  ネジ孔、５２１  切り欠き部、５２２  装着孔、４７１０  上部スリット、４７１１  端部スリット。
【図１】
2020053209.tif 000003
【図２】
2020053209.tif 000004
【図３】
2020053209.tif 000005
【図４】
2020053209.tif 000006
【図５】
2020053209.tif 000007
【図６】
2020053209.tif 000008
【図７】
2020053209.tif 000009